(57)【特許請求の範囲】
【請求項１】
分割鉄心体に絶縁物を介し巻線を巻装し、極数に応じて設けられる巻線巻装体と、この巻線巻装体を連設するように設けられる渡り線と、この渡り線が係合されるように前記絶縁物に設けられる突起とを備え、前記突起に前記渡り線を巻き付けて保持し、順次前記巻線巻装体を形成する毎に前記渡り線を前記突起に巻き付け前記巻線巻装体を極数個形成し、前記巻線巻装体を環状に配列し、前記絶縁物に主巻線が巻装され極数個渡り線を介して設けられる主巻線巻装体と、前記絶縁物を介し補助巻線が巻装され極数個渡り線を介して設けられる補助巻線巻装体と、前記絶縁物の外側枠部に設けられる前記補助巻線の渡り線が巻き付けられる突起と、前記絶縁物の内側枠部に設けられる主巻線および補助巻線からの引出線が接続される複数の引出ピンとを備え、前記補助巻線の渡り線を外側枠部近傍に、前記主巻線の渡り線を内側枠部近傍に区分けして配設した構成とし電位差のある主巻線の渡り線と補助巻線の渡り線との接触するのが防止できることを特徴とする電動機の固定子。
【請求項２】
巻線巻装体が環状に配列されるときに隣設する絶縁物間に設けられる絶縁紙と、この絶縁紙が挿入されるように前記絶縁物に形成される薄肉溝と、この薄肉溝の前記絶縁紙の挿入口が拡がるようにカット部を形成した請求項１記載の電動機の固定子。
【請求項３】
絶縁物の薄肉溝に形成されるカット部に対応しないように渡り線を配設した請求項１記載の電動機の固定子。
【請求項４】
長手方向の中心に折り目を設けて断面をへの字状に形成した絶縁紙の挿入側端部に略Ｗ字状部を形成した請求項２記載の電動機の固定子。
【請求項５】
絶縁物の薄肉溝に形成されるカット部の奥部に平坦部を形成した請求項２記載の電動機の固定子。
【発明の詳細な説明】
【０００１】
【発明の属する技術分野】
本発明は分割鉄心体を用いた電動機の固定子とその接続装置に関する。
【０００２】
【従来の技術】
従来、この種の電動機の固定子は特許第３０５６７３８号公報に記載されたものが知られている。
【０００３】
以下、その構成について図１１を参照しながら説明する。
【０００４】
図に示すように、分割鉄心体１０１に絶縁物１０２を介し主巻線１０３を巻装し渡り線１０４を介し主巻線巻装体１０５を極数個連続的に設け、分割鉄心体１０１に絶縁物１０２を介し補助巻線１０６を巻装し渡り線１０４を介し補助巻線巻装体１０７を極数個連続的に設け、主巻線巻装体１０５および補助巻線巻装体１０７を環状に配列して構成していた。
【０００５】
また、渡り線の処理については特開２０００−１３４８４４号公報に記載されたものが知られている。以下、その構成について図１２を参照しながら説明する。
【０００６】
図に示すように、分割コア２０１に絶縁体２０２を介しコイル２０３が巻装されており、コイル２０３間をつなげている複数の渡り線２０４が渡り線収納溝２０５に配置されていた。
【０００７】
また、巻線部と鉄心間の絶縁耐量を高くするものとして特開平９−２８０６１号公報に記載されたものが知られている。以下その構成について図１３を参照しながら説明する。
【０００８】
図に示すように、極歯単位ごとに極方向に分割された積層鉄心３０１に絶縁部３０２を形成し、巻線３０３をほどこし円筒状に形成してなるモーター固定子において、絶縁部３０２の結合に凹部３０４を設け、凹部３０４に別な絶縁体３０５を挿入していた。
【０００９】
また、電動機の接続装置については特開平５−２８４６８７号公報に記載されたものが知られている。以下その構成について図１４を参照しながら説明する。
【００１０】
図に示すように、銅線束４０１より引き出された銅線４０２を接続するピン端子４０３と、電気絶縁材料で形成された円筒部４０４に固定され複数のインサート金属線４０５を内包した固定子ターミナル４０６と、インサート金属線４０５の一端に設けた固定子側端子４０７と、インサート金属線４０５に設けた引出し側端子４０８により構成していた。
【００１１】
【発明が解決しようとする課題】
このような従来の特許第３０５６７３８号公報に記載の電動機の固定子では、主巻線巻装体１０５および補助巻線巻装体１０７を環状に配列して連結するまでの間に渡り線１０４がたわむと、巻線が解けたり連結時に渡り線１０４がかみ込み金属部への接触などが生じるという課題があり、渡り線１０４がたわまないようにすることが要求されている。
【００１２】
また、渡り線の処理について知られている特開２０００−１３４８４４号公報に記載されたものでは、電位差のある渡り線２０４同志が近傍にあるため接触不良を招く恐れがあるという課題があり、電位差のある渡り線２０４同志が近づかないように配設して接触不良をなくすことが要求されている。
【００１３】
また、特開平９−２８０６１号公報に記載のものでは、凹部３０４に別な絶縁体３０５を挿入するのが困難であるという課題があり、絶縁体３０５の挿入を容易にすることが要求されている。
【００１４】
また、特開平５−２８４６８７号公報に記載された電動機の接続装置では、固定子ターミナル４０６は一種類の電動機にしか対応することができないものであって、電動機の種類に応じて固定子ターミナル４０６を数種類設ける必要があるという課題があり、一種類の固定子ターミナルで数種類の電動機に対応することができるようにするとともに、一種類の固定子ターミナルであっても電動機の種類が判別できるようにすることが要求されている。
【００１５】
本発明は、上記課題を解決するもので、渡り線がたわまないようにして巻線のほどけるのを防止することができ、また、渡り線の接触不良をなくすことができ、また、絶縁紙の挿入を容易にすることができる電動機の固定子を提供するとともに、一種類の固定子ターミナルで数種類の電動機に対応することができる電動機の固定子の接続装置を提供することを目的としている。
【００１６】
【課題を解決するための手段】
本発明の電動機の固定子は上記目的を達成するために、分割鉄心体に絶縁物を介し巻線を巻装し、極数に応じて設けられる巻線巻装体と、この巻線巻装体を連設するように設けられる渡り線と、この渡り線が係合されるように前記絶縁物に設けられる突起とを備え、前記突起に前記渡り線を巻き付けて保持し、順次前記巻線巻装体を形成する毎に前記渡り線を前記突起に巻き付け前記巻線巻装体を極数個形成し、前記巻線巻装体を環状に配列し、前記絶縁物に主巻線が巻装され極数個渡り線を介して設けられる主巻線巻装体と、前記絶縁物を介し補助巻線が巻装され極数個渡り線を介して設けられる補助巻線巻装体と、前記絶縁物の外側枠部に設けられる前記補助巻線の渡り線が巻き付けられる突起と、前記絶縁物の内側枠部に設けられる主巻線および補助巻線からの引出線が接続される複数の引出ピンとを備え、前記補助巻線の渡り線を外側枠部近傍に、前記主巻線の渡り線を内側枠部近傍に区分けして配設した構成とし電位差のある主巻線の渡り線と補助巻線の渡り線との接触するのが防止できることを特徴としたものである。
【００１７】
本発明によれば、巻線巻装体を環状に配列されるまでの間に渡り線がたわまないようにして巻線の解けるのを防止することができ、電位差のある主巻線の渡り線と補助巻線の渡り線との接触するのが防止でき接触不良を防ぐことができる電動機の固定子が得られる。
【００２０】
本発明は、分割鉄心体に絶縁物を介し巻線を巻装し、極数に応じて設けられる巻線巻装体と、この巻線巻装体を連設するように設けられる渡り線と、この渡り線が係合されるように前記絶縁物に設けられる突起とを備え、前記突起に前記渡り線を巻き付けて保持し、順次前記巻線巻装体を形成する毎に前記渡り線を前記突起に巻き付け前記巻線巻装体を極数個形成し、前記巻線巻装体を環状に配列し、前記絶縁物に主巻線が巻装され極数個渡り線を介して設けられる主巻線巻装体と、前記絶縁物を介し補助巻線が巻装され極数個渡り線を介して設けられる補助巻線巻装体と、前記絶縁物の外側枠部に設けられる前記補助巻線の渡り線が巻き付けられる突起と、前記絶縁物の内側枠部に設けられる主巻線および補助巻線からの引出線が接続される複数の引出ピンとを備え、前記補助巻線の渡り線を外側枠部近傍に、前記主巻線の渡り線を内側枠部近傍に区分けして配設した構成とし電位差のある主巻線の渡り線と補助巻線の渡り線との接触するのが防止できることを特徴とするものであり、巻線巻装体を環状に配列されるまでの間に渡り線がたわまないようにして巻線の解けるのを防止することができ、電位差のある主巻線の渡り線と補助巻線の渡り線との接触するのが防止でき接触不良を防ぐことができるという作用を有する。
【００２１】
また、速度調節の種類が異なる種々の電動機に対応できるように主巻線、補助巻線、速調巻線の各引出線がハンダ付けで接続される複数の固定子側端子を設け、電動機の固定子に設けられる固定子ターミナルを備え、速度調節の種類に応じ前記引出線がハンダ付けにより接続されたハンダ付け部の個所および数量の異なることにより電動機の種類を判別できるように構成したことにより、一種類の固定子ターミナルで数種類の電動機に対応することができる電動機の固定子の接続装置が得られるという作用を有する。
【００２２】
以下、本発明の実施例について図面を参照しながら説明する。
【００２３】
【実施例】
（実施例１）
図１〜図３に示すように、分割鉄心体１に絶縁物２を介し主巻線３ａを巻装し主巻線３ａの渡り線４ａを介し極数個設けられる主巻線巻装体５ａと、分割鉄心体１に絶縁物２を介し補助巻線３ｂを巻装し補助巻線３ｂの渡り線４ｂを介し極数個設けられる補助巻線巻装体５ｂにより巻線３と渡り線４および巻線巻装体５を形成する。絶縁物２の内側枠部２ａに主巻線３ａおよび補助巻線３ｂからの引出線６が接続される複数の金属製の引出ピン７を設け、絶縁物２の外側枠部２ｂに補助巻線３ｂの渡り線４ｂを巻き付ける突起８を設け、主巻線３ａの渡り線４ａを内側枠部２ａ近傍に、補助巻線３ｂの渡り線４ｂの外側枠部２ｂの近傍に配設する。
【００２４】
そして、巻線巻装体５を環状に配列するときに隣接する絶縁物２間に渡り絶縁紙９を設け、絶縁紙９の長手方向の中心に折目９ａを付け、先端部に略Ｗ字状部９ｂを形成する。絶縁紙９が挿入される薄肉溝１０を絶縁物２に設け、薄肉溝１０の絶縁紙９の挿入口１０ａが拡がるようにカット部１１を形成し構成する。
【００２５】
上記構成において、電動機の固定子を形成するときには、分割鉄心体１に絶縁物２を介し巻線３を巻装し、極数に応じて巻線巻装体５を形成するとき、一つの巻線巻装体５を形成したのち、次の巻線巻装体５に渡る渡り線４を絶縁物２に設けた突起８に巻き付けて保持し、順次巻線巻装体５を形成する毎に渡り線４を突起８に巻き付け巻線巻装体５を極数個形成し、巻線巻装体５を環状に配列する。
【００２６】
そして、巻線３の引出線６は引出ピン７に接続し、絶縁物２に設けられる薄肉溝１０のカット部１１の挿入口１０ａより、絶縁紙９の略Ｗ字状部９ｂを挿入し薄肉溝１０内に絶縁紙９を設け電動機の固定子を形成する。
【００２７】
このように本発明の実施例１の電動機の固定子によれば、分割鉄心体１に絶縁物２を介し巻線３を巻装し、極数に応じて設けられる巻線巻装体５と、巻線巻装体５を連設するように設けられる渡り線４と、渡り線４が係合されるように絶縁物２に設けられる突起８とを備え、突起８に渡り線４を巻き付けて保持するので、巻線巻装体５を環状に配列されるまでの間における渡り線４のたわみや巻線３のほどけを防止できる。
【００２８】
また、絶縁物２に主巻線３ａが巻装され極数個主巻線３ａの渡り線４ａを介して設けられる主巻線巻装体５ａと、絶縁物２を介し補助巻線３ｂが巻装され極数個補助巻線３ｂの渡り線４ｂを介して設けられる補助巻線巻装体５ｂと、絶縁物２の外側枠部２ｂに設けられる補助巻線３ｂの渡り線４ｂが巻き付けられる突起８と、絶縁物２の内側枠部２ａに設けられる主巻線３ａおよび補助巻線３ｂからの引出線６が接続される複数の引出ピン７とを備え、補助巻線３ｂの渡り線４ｂを外側枠部２ｂ近傍に、主巻線３ａの渡り線４ａを内側枠部２ａ近傍に区分けして配設したので、電位差のある主巻線３ａの渡り線４ａと補助巻線３ｂの渡り線４ｂとの接触するのが防止でき接触不良を防ぐことができる。
【００２９】
また、巻線巻装体５が環状に配列されるときに隣設する絶縁物２間に設けられる絶縁紙９と、絶縁紙９が挿入されるように絶縁物２に形成される薄肉溝１０と、薄肉溝１０の絶縁紙９の挿入口１０ａが拡がるようにカット部１１を形成したので、絶縁紙９の挿入が容易となる。
【００３０】
また、絶縁物２の薄肉溝１０に形成されるカット部１１に対応しないように渡り線４を配設したので、薄肉溝１０に挿入される絶縁紙９が渡り線４に当接するのが防止でき、渡り線４の損傷がなくなる。
【００３１】
また、長手方向の中心に折り目９ａを設けて断面をへの字状に形成した絶縁紙９の挿入側端部に略Ｗ字状部９ｂを形成したので、絶縁物２に形成された薄肉溝１０に対する絶縁紙９の挿入が容易となる。
【００３２】
（実施例２）
図４および図５に示すように絶縁物２Ａの薄肉溝１０Ａに形成されるカット部１１Ａの奥部に平坦部１２を形成した構成とする。
【００３３】
上記構成において、絶縁物２Ａの薄肉溝１０Ａに絶縁紙９を挿入するとき、絶縁紙９がカット部１１Ａより外れ挿入されると、絶縁紙９の先端部がカット部１１Ａに設けた平坦部１２に当接し、絶縁紙９を更に挿入しようとしても挿入できなくなり、カット部１１Ａ近傍に配設されていた渡り線４に絶縁紙９が当接することはない。
【００３４】
このように本発明の実施例２の電動機の固定子によれば、絶縁物２Ａの薄肉溝１０Ａに形成されるカット部１１Ａの奥部に平坦部１２を形成したので、図５に示すように絶縁紙９がカット部１１Ａより外れ挿入された場合においても絶縁紙９が渡り線４に当接することがなく、渡り線４の損傷が未然に防止できる。
【００３５】
（参考例１）
図６〜図１０に示すように、主巻線１３、補助巻線１４、速調巻線１５Ａ、１５Ｂ、１５Ｃから引き出され接続されるように、複数の固定側端子１６〜２５と、引出側端子２６を設け電動機の固定子２７に設けられる固定子ターミナル２８を備え構成する。
【００３６】
そして、電動機の種類として主巻線１３に速調巻線１５Ａ、１５Ｂが並列に設けられるＬ型と、主巻線１３に速調巻線１５Ａ、１５Ｂが直列に設けられるＴ型の２種類とし、各々速調が３段速調と４段速調について説明する。
【００３７】
Ｌ型３速の場合は、図７（ａ）（ｂ）に示すように、主巻線１３、補助巻線１４、速調巻線１５Ａ、１５Ｂの各引出線２９を固定子側端子１７、１９、２２、２３、２４、２５にハンダ付けして接続し、ハンダ付け部３０を固定子ターミナル２８に６個所設けることとなる。
【００３８】
また、Ｌ型４速の場合は、図８（ａ）（ｂ）に示すように、主巻線１３、補助巻線１４、速調巻線１５Ａ、１５Ｂ、１５Ｃの各引出線２９を固定子側端子１７、１９、２０、２２、２３、２４、２５にハンダ付けして接続し、ハンダ付け部３０を固定子ターミナル２８に７個所設けることとなる。
【００３９】
また、Ｔ型３速の場合は、図９（ａ）（ｂ）に示すように、主巻線１３、補助巻線１４、速調巻線１５Ａ、１５Ｂの各引出線２９を固定子側端子１６、１７、２０、２１、２２、２５にハンダ付けして接続し、ハンダ付け部３０を固定子ターミナル２８に６個所設けることとなる。
【００４０】
また、Ｔ型４速の場合は、図１０（ａ）（ｂ）に示すように、主巻線１３、補助巻線１４、速調巻線１５Ａ、１５Ｂ、１５Ｃの各引出線２９を固定子側端子１６、１７、１８、２０、２１、２２、２５にハンダ付けして接続し、ハンダ付け部３０を固定子ターミナル２８に７個所設けることとなる。
【００４１】
参考例１による電動機の種類毎のハンダ付け部の個所を（表１）に示している。
【００４２】
【表１】
0004781538.tif 000002
【００４３】
この（表１）から明らかなように、電動機の種類によりハンダ付け部の個所および数量が異なることがわかることとなり、電動機の固定子に設けられる固定子ターミナル２８のハンダ付け部３０の個所と数量を見ることで電動機の固定子の種類を判別することができる。
【００４４】
このように本発明の参考例１の電動機の固定子の接続装置によれば、速度調節の種類が異なる種々の電動機に対応できるように主巻線１３、補助巻線１４、速調巻線１５Ａ、１５Ｂ、１５Ｃの各引出線２９がハンダ付けで接続される複数の固定子側端子１６〜２５を設け、電動機の固定子２７に設けられる固定子ターミナル２８を備え、速度調節の種類に応じ引出線２９がハンダ付けで接続されたハンダ付け部３０の位置および数量の異なることにより電動機の種類を判別できるようにしたもので、固定子ターミナル２８を見ることにより電動機の種類を容易に判別することができるとともに、一種類の固定子ターミナル２８を種類の異なる電動機に用いることができ、部品点数およびコストの削減を図ることができ、製造、保管等の管理も容易となる。
【００４６】
以上の実施例から明らかなように、本発明によれば分割鉄心体に絶縁物を介し巻線を巻装し、極数に応じて設けられる巻線巻装体と、この巻線巻装体を連設するように設けられる渡り線と、この渡り線が係合されるように前記絶縁物に設けられる突起とを備え、前記突起に前記渡り線を巻き付けて保持し、順次前記巻線巻装体を形成する毎に前記渡り線を前記突起に巻き付け前記巻線巻装体を極数個形成し、前記巻線巻装体を環状に配列し、前記絶縁物に主巻線が巻装され極数個渡り線を介して設けられる主巻線巻装体と、前記絶縁物を介し補助巻線が巻装され極数個渡り線を介して設けられる補助巻線巻装体と、前記絶縁物の外側枠部に設けられる前記補助巻線の渡り線が巻き付けられる突起と、前記絶縁物の内側枠部に設けられる主巻線および補助巻線からの引出線が接続される複数の引出ピンとを備え、前記補助巻線の渡り線を外側枠部近傍に、前記主巻線の渡り線を内側枠部近傍に区分けして配設した構成とし電位差のある主巻線の渡り線と補助巻線の渡り線との接触するのが防止できることを特徴とするものであり、巻線巻装体を環状に配列されるまでの間に渡り線がたわまないようにして巻線の解けるのを防止することができ、電位差のある主巻線の渡り線と補助巻線の渡り線との接触するのが防止でき接触不良を防ぐことができる電動機の固定子を提供できる。
【００４７】
また、巻線巻装体が環状に配列されたときに隣設する絶縁物間に設けられる絶縁紙と、この絶縁紙が挿入されるように前記絶縁物に形成される薄肉溝と、この薄肉溝の前記絶縁紙の挿入口が拡がるようにカット部を形成したので、絶縁紙の挿入が容易となる。
【００４８】
また、絶縁物の薄肉溝に形成されるカット部に対応しないように渡り線を配設したので、絶縁紙が渡り線に当接することがなく、渡り線の損傷するのが防止できる。
【００４９】
また、長手方向の中心に折り目を設けて断面をへの字状に形成した絶縁紙の挿入側端部に略Ｗ字状部を形成したので、絶縁紙の挿入が容易となる。
【００５０】
また、絶縁物の薄肉溝に形成されるカット部の奥部に平坦部を形成したので、渡り線の損傷を防止できる。
【図面の簡単な説明】
【図１】  本発明の実施例１の電動機の固定子の構成を示す斜視図
【図２】  同電動機の固定子の絶縁紙の挿入時の状態を示す斜視図
【図３】  同電動機の固定子の絶縁紙の挿入状態を示す上面図
【図４】  本発明の実施例２の電動機の固定子の構成を示す斜視図
【図５】  同電動機の固定子の絶縁紙の挿入時の状態を示す斜視図
【図６】  参考例１の電動機の固定子の接続装置の固定子ターミナルの断面図
【図７】  （ａ）同接続装置をＬ型３速の電動機の固定子に設けた状態を示す正面図
（ｂ）同接続装置の固定子側端子と巻線の関係を示す巻線図
【図８】  （ａ）同接続装置をＬ型４速の電動機の固定子に設けた状態を示す正面図
（ｂ）同接続装置の固定子側端子と巻線の関係を示す巻線図
【図９】  （ａ）同接続装置をＴ型３速の電動機の固定子に設けた状態を示す正面図
（ｂ）同接続装置の固定子側端子と巻線の関係を示す巻線図
【図１０】  （ａ）同接続装置をＴ型４速の電動機の固定子に設けた状態を示す正面図
（ｂ）同接続装置の固定子側端子と巻線の関係を示す巻線図
【図１１】  （ａ）従来の電動機の固定子の分割鉄心体の正面図
（ｂ）同電動機の固定子の一部破断した正面図
（ｃ）同電動機の固定子の巻線の回路図
【図１２】  （ａ）同電動機の固定子の渡り線の処理構成を示す斜視図
（ｂ）同電動機の固定子の渡り線の処理構成を示す断面図
【図１３】  （ａ）同電動機の固定子の巻線と鉄心間の絶縁構成を示す正面図
（ｂ）同電動機の固定子の巻線と鉄心間の絶縁構成を示す拡大図
【図１４】  同電動機の固定子の接続装置の構成を示す断面図
【符号の説明】
１      分割鉄心体
２      絶縁物
２Ａ    絶縁物
２ａ    内側枠部
２ｂ    外側枠部
３      巻線
３ａ    主巻線
３ｂ    補助巻線
４      渡り線
４ａ    主巻線の渡り線
４ｂ    補助巻線の渡り線
５      巻線巻装体
５ａ    主巻線巻装体
５ｂ    補助巻線巻装体
６      引出線
７      引出ピン
８      突起
９      絶縁紙
９ａ    折り目
９ｂ    略Ｗ字状部
１０    薄肉溝
１０Ａ  薄肉溝
１１    カット部
１１Ａ  カット部
１２    平坦部
１３    主巻線
１４    補助巻線
１５Ａ  速調巻線
１５Ｂ  速調巻線
１５Ｃ  速調巻線
１６〜２５  固定子側端子
２７    電動機の固定子
２８    固定子ターミナル
２９    引出線
３０    ハンダ付け部
【図１】
0004781538.tif 000003
【図２】
0004781538.tif 000004
【図３】
0004781538.tif 000005
【図４】
0004781538.tif 000006
【図５】
0004781538.tif 000007
【図６】
0004781538.tif 000008
【図７】
0004781538.tif 000009
【図８】
0004781538.tif 000010
【図９】
0004781538.tif 000011
【図１０】
0004781538.tif 000012
【図１１】
0004781538.tif 000013
【図１２】
0004781538.tif 000014
【図１３】
0004781538.tif 000015
【図１４】
0004781538.tif 000016